(57)【要約】 【課題】  防犯具、連結具、固定具としてその用途の汎用性が高い錠止具を提案すること。【解決手段】  係止棒を有するベース体と、このベース体に対向するように押し付けられ、かつ、前記係止棒の係合頭部に対して内装バネのバネ力を利用して係合する左右の挟持型ロック片を備えた押圧方式の障害体と、ベース体に係止棒を介してロック状態に合体した該障害体を取り外す時に、前記ロック片の対向端面で形成されているキー挿入用開口に押圧方式で差し込まれ、かつ、左右のロック片を内装バネのバネ力に抗して均等に押し広げる一対の係合爪片を有する押圧キーとから成る錠止具。【選択図】  図６
2006009521.tif 000002
【特許請求の範囲】
【請求項１】
係止棒を有するベース体と、このベース体に対向するように押し付けられ、かつ、前記係止棒の係合頭部に対して内装バネのバネ力を利用して係合する左右の挟持型ロック片を備えた押圧方式の障害体と、ベース体に係止棒を介してロック状態に合体した該障害体を取り外す時に、前記ロック片の対向端面のキー挿入用開口に押圧方式で差し込まれ、かつ、左右のロック片を内装バネのバネ力に抗して均等に押し広げる一対の係合爪片を有する押圧キーとから成る錠止具。
【請求項２】
請求項１に於いて、押圧キーの係合爪片の挿入先端部は、それぞれ山形状に形成されていることを特徴とする錠止具。
【請求項３】
請求項１に於いて、係止棒は支軸の機能を有し、障害体は該係止棒に回転自在に係止されていることを特徴とする錠止具。
【請求項４】
請求項１に於いて、障害体は、固定手段で一体的に結合した底板と中板と上板を有し、前記中板の開口内に付勢バネと、該付勢バネによって常時ストッパー部分に当接するように付勢されている左右一対の挟持型ロック片が組み込まれていることを特徴とする錠止具。
【請求項５】
請求項１に於いて、障害体の底板、中板及び上板は、環状カバーでカバーされていることを特徴とする錠止具。
【請求項６】
請求項１に於いて、ベース体の一側面に複数本の係止棒が離間して固定され、これらの係止棒に障害体がそれぞれロック状態に係止されていることを特徴とする錠止具。
【請求項７】
請求項１に於いて、障害体は、円形又は角形の盤状に形成され、掌に乗せて握り締めることができる大きさに形成されていることを特徴とする錠止具。
【請求項８】
係止棒を有するベース体と、このベース体に対向するように押し付けられ、かつ、前記係止棒の係合頭部に対して磁性体の反発力を利用して係合する左右の挟持型磁性ロック片を備えた押圧方式の障害体と、ベース体に係止棒を介してロック状態に合体した該障害体を取り外す時に、前記磁性ロック片の対向端面のキー挿入用開口に押圧方式で差し込まれ、かつ、左右のロック片を磁性体の反発力に抗して均等に押し広げる一対の係合爪片を有する押圧キーとから成る錠止具。
【請求項９】
係止棒を有するベース体と、このベース体に対向するように押し付けられ、かつ、前記係止棒の係合頭部に対して磁性体の吸着力を利用して係合する左右の挟持型磁性ロック片を備えた押圧方式の障害体と、ベース体に係止棒を介してロック状態に合体した該障害体を取り外す時に、前記ロック片の対向端面のキー挿入用開口に押圧方式で差し込まれ、かつ、左右のロック片を磁性体の吸着力に抗して均等に押し広げる一対の係合爪片を有する押圧キーとから成る錠止具。
【請求項１０】
請求項９に於いて、係止棒は磁性体であることを特徴とする錠止具。
【発明の詳細な説明】
【技術分野】
【０００１】
本発明は、建具、家具、フェンス、ヘルメットなどに用いられる錠止具に関する。この錠止具は、ベルト等の連結具としても使用できる。
【背景技術】
【０００２】
特許文献１には、平板体の一例であるベルトを固定することができるベルト止め具が開示されている。また特許文献２には、カバン類の開閉蓋を止める蓋体用止め具が開示されている。
【０００３】
従来の特許文献１、２に記載されている止め具は、ベルト状の平板体を巻回した後に、又はカバン本体の開閉蓋を閉じた時にそれぞれロック状態に係止するものであるが、錠前の如く、ベルト状平板体或いはカバン本体の開閉蓋を錠止状態にロックするものではなかった。したがって、例えば開放用の操作部を操作すると、簡単にロック状態が解消し、平板体や開閉蓋を自由にすることができる。
【０００４】
ところで、現在、建具、家具、フェンス、ヘルメットなどに錠止具或いは連結具として用いることができる道具が要望されている。法目的の実行、社会的な秩序の維持、家庭の平穏等の観点から、人間や動物の自由を拘束したい場合がある。例えば近年、泥棒の手口が悪化し、「サムターン回し」や「ピッキング行為」が行われていることが報じられている。そこで、建物の出入り口やロッカーに、錠メーカー製造の錠前以外に、安価な費用で、かつ、簡単に補助的な「錠止具」を取付けることができれば非常に嬉しいことである。また、台風が北上してきた場合に窓に簡単な操作によりフェンスを取付けることができれば理想的である。また、幼児、被介護者等が事故を起こさないように、階段の出入り口や介護ベッドに簡単な操作によりフェンスを取付けることができれば嬉しいことである。さらに、受刑者のなかには、精神的な異常により、自分自身で傷を付けようとして頭を壁等に強打する者もいるという。このような場合には、頭部保護用ヘルメット類のフラップ状締め付けベルトを錠止し、自分自身で締め付けベルトを外せないようにすれば便利である。
【特許文献１】特開２００３−３４１７１１号公報
【特許文献２】特開平７−２０４０１０号公報
【発明の開示】
【発明が解決しようとする課題】
【０００５】
本発明の第１の目的は、前項の背景技術で記述した観点から、防犯具、連結具、固定具としてその用途の汎用性が高い錠止具を提案することである。本発明の構成上の観点から見た目的は、障害体のロック状態の装着操作が簡単ある反面、所定の押圧キーが存在しない限り、容易にロック状態を解除して障害体を係止棒から取り外すことができないことである。また、一旦、ベース体の係止棒に障害体を装着したら、障害体は容易に係止棒から外れないことである。特に、泥棒や自由を拘束されている人がドライバー等の工具を障害体のキー挿入用開口の一方（片方）に差し込んで解除操作しても、容易にロック状態を解除することができないことである。その他の目的は、安価であること、簡単な取付け行為ないし装着操作により、錠止具として、又は平板体の連結端部を固定する連結具として利用することができること等である。
【課題を解決するための手段】
【０００６】
本発明の錠止具は、係止棒を有するベース体と、このベース体に対向するように押し付けられ、かつ、前記係止棒の係合頭部に対して内装バネのバネ力を利用して係合する左右の挟持型ロック片を備えた押圧方式の障害体と、ベース体に係止棒を介してロック状態に合体した該障害体を取り外す時に、前記ロック片の対向端面のキー挿入用開口に押圧方式で差し込まれ、かつ、左右のロック片を内装バネのバネ力に抗して均等に押し広げる一対の係合爪片を有する押圧キーとから成ることを特徴とする（第１実施例）。
【０００７】
上記構成に於いて、押圧キーの係合爪片の挿入先端部は、それぞれ山形状に形成されている。また係止棒は支軸の機能を有し、障害体は該係止棒に回転自在に係止されている。本発明の他の特徴は、請求項４乃至請求項７に記載されており、詳しくは、発明を実施するための最良の形態の欄に於いて説明されている。
【０００８】
また本発明の錠止具は、係止棒を有するベース体と、このベース体に対向するように押し付けられ、かつ、前記係止棒の係合頭部に対して磁性体の反発力を利用して係合する左右の挟持型磁性ロック片を備えた押圧方式の障害体と、ベース体に係止棒を介してロック状態に合体した該障害体を取り外す時に、前記磁性ロック片の対向端面のキー挿入用開口に押圧方式で差し込まれ、かつ、左右のロック片を磁性体の反発力に抗して均等に押し広げる一対の係合爪片を有する押圧キーとからことを特徴とする（第２実施例）。
【０００９】
さらに、本発明の錠止具は、係止棒を有するベース体と、このベース体に対向するように押し付けられ、かつ、前記係止棒の係合頭部に対して磁性体の吸着力を利用して係合する左右の挟持型磁性ロック片を備えた押圧方式の障害体と、ベース体に係止棒を介してロック状態に合体した該障害体を取り外す時に、前記ロック片の対向端面のキー挿入用開口に押圧方式で差し込まれ、かつ、左右のロック片を磁性体の吸着力に抗して均等に押し広げる一対の係合爪片を有する押圧キーとから成ることを特徴とする（第３実施例）。
【発明の効果】
【００１０】
（１）請求項１に記載の発明は、ベース体の係止棒の係合頭部に対して障害体を押圧するだけで、いわゆるワンタッチ式に障害体を係合頭部にロック状態に係止させることができる。したがって、ロック状態の装着操作が簡単である。
（２）一方、ベース体に係止棒を介してロック状態に合体した該障害体を取り外す時は、左右のロック片を内装バネのバネ力又は磁性体の反発力等に抗して均等に押し広げる一対の係合爪片を有する押圧キーがなければ、容易にロック状態を解消されることができない。すなわち、左右のロック片の対向端面で形成されているキー挿入用開口の一方（片方）にドライバーを差し込んで操作しても、各ロック片の対向端面の両端部に均等に押し広げる力が作用しない限り、容易にロック状態を解除することができない。
（３）また、障害体は、一度、ベース体の係止棒に係合すると、例えば内装バネのバネ力で付勢される左右の挟持型ロック片が係止棒の係合頭部に係止されるようにその首部を挟み込むので、係止力、或いは錠止力が強力となり、容易に係止棒から外れない。
（４）ベース体の係止棒と障害体さえあれば、防犯用具、連結具、固着具として建具、家具、フェンス、ヘルメットなどに利用することができる。したがって、用途の汎用性が高い。
（５）請求項２に記載の発明は、簡単かつ合理的構成により、本発明の主たる目的を達成することができる。
（６）請求項３に記載の発明は、障害体は係止棒に回転自在に係止されているので、例えば泥棒がドライバー等の工具をキー挿入用開口の一方（片方）に差し込んで解除操作すると空回りする。したがって、泥棒や自由を拘束されている人は、容易にロックを解除することができない。
（７）請求項４に記載の発明は、合理的構成により、本発明の主たる目的を達成することができる。
（８）請求項５に記載の発明は、環状カバーで保護されているから、外観上美的にも優れ、耐久性に富む。
（９）請求項６に記載の発明は、係止棒の数やその配列の仕方により、平板体の多様な連結態様が可能となる。
（１０）請求項７に記載の発明は、持ち運びに便利であると共に、障害体の脱着も楽である。
【発明を実施するための最良の形態】
【００１１】
以下、図１乃至図１１に示す本発明を実施するための最良の形態（第１実施例）により説明する。この錠止具Ｘは、基本的には、係止棒９を有するベース体Ｂ（４．５．６．４３．５１）と、このベース体に対向するように押し付けられ、かつ、前記係止棒の係合頭部９ｂに対して内装バネ１６．１６のバネ力を利用して係合する左右の挟持型ロック片１７．１７を備えた押圧方式の障害体１１と、ベース体に係止棒を介してロック状態に合体した該障害体を取り外す時に、前記ロック片の対向端面で形成されているキー挿入用開口２９．２９に差し込まれ、かつ、左右のロック片を内装バネのバネ力に抗して均等に押し広げる一対の係合爪片３２．３２を有する押圧キー３１とから成り、例えば固定側部材に対して可動体（例えば開閉戸、引戸、シャッター、車輪など）をロックする防犯用に利用される。また、連結端部にベース体の係止棒が貫通する貫通孔を有する平板体用の連結具として利用される。以下、基本的構成に沿って説明する。
【００１２】
（１）ベース体
第１実施例のベース体Ｂは、建具やロッカーの戸枠である。図１に於いて、ベース体Ｂは、例えば建物１の出入口を構成し、開閉戸２の自由端部３が対向する側の縦枠４又は／及び上の横枠５である。ベース体Ｂが縦枠４又は横枠５そのものである場合には、係止棒９の基端部９ａは、開閉戸２の外壁面又は内壁面に直交するように縦枠４等に対して水平状態に固定される。
【００１３】
また、ベース体Ｂが戸枠に固定可能な長板状の金属製取付けベース板６である場合には、該取付けベース板６の中央部に係止棒９の基端部９ａが直交状態にネジ止め、溶着などで固定される。ベース体Ｂの形状は、特に限定するものではなく、用途或いはロックすべき取付け対象に対応して円形、角形、ハート形、長板状、長杆状、支柱状、端面Ｌ型状、断面コ字型状、端面チャンネル状など形成される。また、ベース体Ｂが建具やロッカーの戸枠と別体の取付けベース板６である場合には、図示しない接着層、複数個の固着具、溶着等の固定手段を介して縦枠４又は／及び横枠５に固定される。なお、取付けベース板６の固定手段がネジ、釘等の固着具である場合には、取付けベース板６の両端部に固着具８用の取付け孔が形成されている。
【００１４】
また、実施例如何によっては、取付けベース板６の裏側にメネジを有する一対の取付け筒を離間突設し、該取付け筒を縦枠４等の貫通孔に差し込んで、取付けベース板６の向こう側から取付け座板を介して取付け筒を螺着しても良い。このように、本発明の係止棒９の取付け方法や取付け対象は、様々である。
【００１５】
図３で示すように、支軸の機能を有する係止棒９は、突出先端部にフラット又は傘状の係合頭部９ｂが形成されている。係止棒９の長さは特に限定するものではないが、少なくとも、後述する盤状の障害体１１が、係合頭部９ｂによってロック状態に係止される所要の長さが必要である。したがって、障害体１１の肉厚に対応して係止棒９の軸部の長さが設定される。本実施例の係止棒９の係合頭部９ｂはフラットに形成されていると共に、首部に相当する部分には周溝１０が形成されている。したがって、係合頭部９ｂと基端部９ａは同径である。
【００１６】
なお、図１に於いて、７は開閉戸１のレバーハンドルであり、第１実施例のベース体Ｂは、戸枠とは別体の金属製取付けベース板６が用いられ、該取付けベース板６は、レバーハンドル７の位置を基準にして、縦枠４の上下部と横枠５の開閉戸２の自由端部３側にそれぞれ固着具８を介して固定されている。
【００１７】
（２）障害体
図２は、取付けベース板６（ベース体Ｂ）の係止棒９から障害体１１を分離した正面図である。本実施例の障害体１１は、図４乃至図６で示すように、底板１２と、この底板１２の上面に重ねられる中板１３と、この中板１３の上面に重ねられる上板１４と、固定手段１８を介して一体的に結合した各板１２．１３．１４の外表面をカバーするように嵌着する環状カバー１５と、中板１３の左右の案内部（長孔状開口）内に組み込まれ、かつ、左右の内装バネ１６．１６のバネ力を利用して係止棒９の係合頭部９ａに対して係合する左右の挟持型ロック片１７．１７とから成る。障害体１１は、望ましくは円形又は角形の盤状に形成され、掌に乗せて握り締めることができる大きさに形成されている。
【００１８】
底板１２、中板１３及び上板１４は、積層状態に合体（結合）した後に、環状カバー１５で包まれる。そのために、略同一の形状に形成され、また寸法（径）も同一である。本実施例では、各板１２．１３．１４は、メダル、コイン等の円盤状に形成され、大きさも遊技機の投入コイン程度である。また、底板１２、中板１３及び上板１４周端部には、固定手段の一例である複数個のカシメ用連結ピン１８が嵌入する貫通小孔（便宜上同一の符号を付す）２０が左右に離間して形成されている。
【００１９】
中板１３は、底板１２と上板１４にサンドイッチ状に介在している。この中板１３の開口２２内に付勢バネ１６と、該付勢バネ１６によって常時ストッパー部分に当接するように付勢されている左右一対の挟持型ロック片１７．１７が組み込まれている。
【００２０】
図７で示すように、まず、２１は底板１２の中央部に形成された横長或いは縦長の底板開口で、この底板開口２１の中心開口２１ａは、係止棒９の係合頭部９ｂが嵌入することができるように左右或いは上下の端部開口２１ｂ．２１ｂよりも大径（例えば円弧状）に形成されている。また、底板開口２１の中心開口２１ａと左右或いは上下の端部開口２１ｂ．２１ｂは連通した一つの長孔であり、この長孔の大きさ（長さ方向の内径寸法）は、図８で示す押圧キー３１の一対の係合爪片３２．３２が入り込むことができるように設定されている。したがって、底板開口２１は、係止棒９の係合頭部９ｂ及び押圧キー３１の一対の係合爪片３２．３２がそれぞれ嵌入可能な嵌合部である。
【００２１】
次に、２２は中板１３の中央部ないし周端部寄りの部位まで形成された中板開口で、この中板開口２２には、前述した左右一対の内装バネ１６．１６と、これらの内装バネ１６．１６に常時係合方向に付勢される左右一対の挟持型ロック片１７．１７とが組み込まれる。
【００２２】
そのために、底板開口２１の中心開口２１ａと連通する中心開口２２ａを基準にして一対の突起状ストッパー部分２３．２３が設けられ、また、これらのストッパー部分２３．２３と交差する方向の部位にそれぞれ切欠状のバネ収納部分２４．２４が形成されている。ここでは、説明の便宜上、図７に示した中板１３の上下のストッパー部分２３．２３を基準にして「左右」の用語を用いる。
【００２３】
紙面上、中心部に位置する上下のストッパー部分２３．２３を基準にすると、中心開口２２ａ及び左右のバネ収納部分２４．２４とそれぞれ交差状に連通する左右の長孔状開口２２ｂ．２２ｂ（図７では仮想線の部分）には、左右の挟持型ロック片１７．１７がそれぞれ余裕を持って収納される。ここで「余裕を持って」とは、左右の挟持型ロック片１７．１７がそれぞれの内装バネ１６．１６のバネ力に抗して半径外方向へ所要量後退可能であることを意味する。したがって、左右の長孔状開口２２ｂ．２２ｂは、挟持型ロック片１７用の案内部分である。なお、底板１２と中板１３は、予め一体に成形しても良い。
【００２４】
次に、２５は上板１４の中央部に矩形状に形成された上板開口で、この上板開口２５も、係止棒９の係合頭部９ｂ及び押圧キー３１の一対の係合爪片３２．３２がそれぞれ嵌入可能な嵌合部であることから、所要の大きさに設定されている。なお、上板開口２５の形状は矩形状である必要はなく、円形でも良い。
【００２５】
図２で示すように、この上板開口２５からは、それぞれの内装バネ１６．１６のバネ力により付勢され、かつ、一対のストッパー部分２３．２３により受け止めされている一対の挟持型ロック片１７．１７の対向端部側が見える。したがって、挟持型ロック片１７．１７の対向端部側が上板開口２５の中心部に向かって所定位置まで進出している。
【００２６】
次に環状カバー１５は硬質の合成樹脂材でキャップ状に形成され、比較的大きな中心孔１９を有する上壁の環状部分１５ａと、この環状部分１５ａに連設し、かつ、底板１２、中板１３及び上板１４の外周壁を完全に包む周壁部分１５ｂとから成る。
【００２７】
次に、挟持型ロック片１７．１７は、図６で示すように左右対称の長杆或いは長板片である。これらのロック片１７．１７の対向中心部は、係止棒９の係合頭部９ｂの外周形状（例えば円形）に対応して弧状の切欠部分２６．２６を有している。また、本実施例の係止棒９の係合頭部９ｂはフラットなフランジ状に形成されていることから、各切欠部分２６．２６の切欠端面は、係合頭部９ｂに摺接することができるように傾斜状部分（摺接面２７．２７）に形成されている。もちろん、前記摺接関係は、係合頭部９ｂを傘状に形成することにより可能である。
【００２８】
（３）押圧キー
図６及び図８に押圧キー３１の一例を示す。押圧キー３１は、ベース体Ｂに係止棒９を介してロック状態に合体した障害体１１を取り外す時に、左右のロック片１７．１７の対向端面で形成されている上下のキー挿入用開口２９．２９に差し込まれ、かつ、左右のロック片１７．１７を内装バネ１６．１６のバネ力に抗して均等に押し広げる一対の係合爪片３２．３２を有する。
【００２９】
しかして、図８は、押圧キー３１を裏返した斜視図であるが、この斜視図から明らかなように、前記の挿入先端部は、将棋の駒の如く、それぞれ山形状に形成されている。また、一対の係合爪片３２．３２は、断面コ字に形成され、円形状の押圧壁３３の内壁面の中央部に溶着されている。また、押圧壁３３には半径外方向に延びる摘み部分３４が連設している。なお、押圧キー３１の押圧壁３３や摘み部分３４の形状は、一例であり、例えば押圧壁３３を杆状に設計変更しても良い。
【００３０】
（４）作用…ロックとロック解除
本発明を錠止具Ｘとして利用する場合には、まず、図１で示すように、施錠したい対象物（例えば開閉戸２）の壁面の一部に障害体１１の一部が当たるようにベース体Ｂ（例えば取付けベース板６）に係止棒９の基端部を固定する。なお、前述したように、予め取付けベース板６に係止棒９の基端部を固定されている場合には、戸枠の所要位置に取付けベース板６を固定する。
【００３１】
次に障害体１１を係止棒９にロック状態に取付ける場合には、図１０で示すように、障害体１１を指で摘んで係止棒９の係合頭部９ａに底板１２の中心開口２１ａを嵌めるようにする。底板１２の中心開口２１ａを係合頭部９ａに嵌めると、左右の挟持型ロック片１７．１７は、上板開口２５の中心部へと進出していることから、係合頭部９ａの周端部分に各切欠部分２６．２６の切欠端面の傾斜状部分（摺接面２７．２７）が跨ぐように当接する。そこで、そのまま押圧キー３１の押圧壁３３の外壁面を、例えば親指で押し込む。そうすると、左右の挟持型ロック片１７．１７は、係合頭部９ｂに傾斜状部分（摺接面２７．２７）が摺接するに連れて内装バネ１６．１６のバネ力に抗して後退する。そして、係合頭部９ｂが上板開口２５へと突き出でた瞬間に左右の挟持型ロック片１７．１７は、左右の内装バネ１６．１６のバネ力により元の位置へと復帰し、各切欠部分２６．２６の切欠端面が係止棒９の首部に圧接する。これがロック状態である（障害体１１が係合頭部９ｂに係止されている）。
【００３２】
したがって、障害体１１をベース体Ｂから取り外そうとしても、障害体１１は、左右の挟持型ロック片１７．１７を介して係合頭部９ｂに係止されることから、ロック状態を解消させる合鍵が存在しない限り、容易に取り外すことができない。
なお、障害体１１がベース体Ｂに係止棒９を介してロック状態に合体した場合には、障害体１１は係止棒９を軸にして回転自在であり、その周端部分は開閉戸１の壁面に当接可能に食み出ている。
【００３３】
一方、ベース体Ｂの係止棒９から障害体１１を取り外す時は、押圧キー３１を用いる。図１１はロック解除の場合を示す。ロック解除時、まず、図１１で示すように押圧キー３１の押圧壁３３を指で摘んで、一対の対向する係合爪片３２．３２を上下のキー挿入用開口２９．２９に宛がうようにする。しかる後に、押圧壁３３を障害体１１に向かって押し込む。そうすると、押圧キー３１の各係合爪片３２．３２の先端部分が山形状に形成されていることから、押圧キー３１を障害体１１に対して押し込むに連れて各係合爪片３２．３２の先端部分が左右の挟持型ロック片１７．１７を押し退けるように入り込む。
【００３４】
この時、ロック片１７．１７の両端部がバネ力により各係合爪片３２．３２に圧接している。これがロック解除の状態である。そこで、そのまま障害体１１を摘んで係止棒９から取り外す。
【００３５】
第１実施例の錠止具Ｘは、不動産の出入り口の開閉戸２を、普通一般の錠前以外の手段を用いてロック状態にした一例である。
【００３６】
前述したように、本発明は、動産（例えばロッカー）の開閉戸２を対象にしても良い。また、自転車やオートバイの盗難防止用の錠止具Ｘとしても用いることができる。例えば自転車のフォークに単数又は複数個の係止棒を有する取付けベース板を、固定手段を介して取付け、車輪の回転の障害になるように障害体１１を係止棒に嵌め込めば良い。また、第１実施例の錠止具Ｘでは、係止棒９は１本である旨説明したが、もちろん、係止棒９を、ベース体Ｂの一側面に離間して複数個設け、これらの係止棒９．９にそれぞれ障害体１１．１１を押圧によりロック状態に合体させても良い。
【実施例】
【００３７】
この欄では、発明の実施の形態で示した用途以外に、発明者が認識した用途のいくつかを説明する。
【００３８】
（Ａ）用途例２の錠止具Ｘは、平板体用の連結具として利用した場合の一例である。ここで、「平板体」とは、カバン類の開閉蓋、フェンス用の連結板、室内外の出入り口用の規制バンド、ベッド用の規制バンド、頭部保護用ヘルメット類のフラップ状締め付けベルト、人間や動物の自由を拘束する規制用連結板或いはベルトなど扁平状で幅のあるものをいう。平板体の材質は、金属製の板、合成樹脂製の板、木製の板、皮製のベルトなど扁平状で幅のあるものであれば、その材質如何を問わない。
【００３９】
図１２及び図１３は、フェンス４１用の長板状平板体４２を錠止具Ｘで連結した一例である。フェンス４１は、一般に所要間隔離間した左右の支柱４３．４３と、これらの支柱４３．４３に張り渡した複数枚の長板状平板体４２とから成るが、前記各支柱４３．４３には、上下方向に所定間隔を有して複数本の係止棒９が固定的に配列されている。
【００４０】
したがって、各支柱４３．４３は、第１実施例で説明したベース体Ｂに該当する。それ故に、各長板状平板体４２は、それぞれの係止棒９にロック状態に係脱する複数個の障害体１１を介してベース体Ｂ（左右の支柱４３．４３）に固定的に連結されている。
【００４１】
しかして、各平板体４２の連結端部４２ａ．４２ａに貫通孔４４．４４がそれぞれ形成され、各平板体４２の連結端部４２ａ．４２ａは、前記貫通孔４４．４４とベース体Ｂの係止棒９との連係関係（係合）を介し、かつ、各係止棒９にロック状態に合体した左右で一組の障害体１１．１１に規制されている。したがって、図１３で示すように、平板体４２の連結端部４２ａは、支柱４３の一側面と障害体１１とでサンドイッチ状に挟まれた格好になる。
【００４２】
（Ｂ）用途例３の錠止具Ｘ２は、同様に平板体用の連結具として利用した場合の他の例である。図１４及び図１５は、頭部保護用ヘルメット類５１の左右のフラップ状締め付け部分５１．５２を錠止具Ｘで連結した例である。
【００４３】
しかして、一方のフラップ状締め付け部分５１には、係止棒９を有する取付けベース板６が取付けられており、前記係止棒９は締め付け部分５１の端部に形成された嵌合孔５３を貫通している。これに対し、他方のフラップ状締め付け部分５２の端部には、前記係止棒９の係合頭部９ｂが貫通する貫通孔５４が形成されている。
【００４４】
したがって、係止棒９を有する一方のフラップ状締め付け部分側がベース体Ｂ（６．５１）に該当し、また、該ベース体Ｂと係止棒９にロック状態に係止された障害体１１とでサンドイッチ状に挟まれた他方のフラップ状締め付け部分５２が平板体に該当する。
【００４５】
この実施例から明らかなように、例えば収納部を有するカバン本体の前壁に単数又は複数個の係止棒９が固定されている場合には、収納部の前壁がベース本体Ｂとなり、これに対して係止棒９が貫通する貫通孔がカバン本体のフラップ状開閉蓋に形成されている場合には、該開閉蓋が平板体に該当する。このように本発明の錠止具は、平板体用の連結具或いは固定具として幅広く利用することができる。
【００４６】
次に、図１６乃至図１９を参照にして本発明の第２実施例、第３実施例を説明する。なお、これらの実施例と同一の部分には同一又は同様の符号を付し、重複する説明を省略する。第１実施例で説明したように、本発明は、一対の係合爪片３２．３２を有する押圧キー３１が構成要件であり、該押圧キー３１は、一対のロック片１７．１７の対向端面のキー挿入用開口２９．２９に押圧方式で差し込まれ、かつ、左右（一対）のロック片１７．１７を内装バネ１６．１６のバネ力に抗して均等に押し広げる。
【００４７】
そこで、図１６及び図１７に示す第２実施例は、前記内装バネ１６．１６のバネ力を磁性体の反発力に置換したものである。例えば中板（底板と中板とが一つの板である時は、下方の板）１３Ａの中板開口２２Ａに連通するバネ収納部分になくする代わりに計４本の磁石１６Ａを離間して開口縁部に植設し、一方、一対のロック片１７Ａ．１７Ａの外側の両端部に前記磁石１６Ａの極性に対応して反発する磁石１６Ｂを計４本植設する。もちろん、この第２実施例は、一対のロック片１７Ａ．１７Ａが中板１３Ａの開口縁部の磁性体に対応して反発し、常時、左右或いは上下のストッパー部分２３．２３に受け止められていれば良い訳であるから、両方１３Ａ、１７Ａ．１７Ａの部材に磁石１６Ａ、１６Ｂをそれぞれ設ける実施例の他に、一方を磁石にする反面、他方を磁性体材質の材料で成形しても良い。
【００４８】
一方、図１８及び図１９に示す第３実施例は、前記内装バネ１６．１６のバネ力を省略し、磁性体の吸着力を利用したものである。この第３実施例では、係止棒９Ａそのものが鉄製であること、或いは磁性体であることを条件として、該磁性体としての係止棒９Ａの極性に対応して磁性体としての一対のロック片１７Ｂ．１７Ｂが係止棒９Ａに係止されるように中板１３Ｂに案内されてスライド吸着する。したがって、この実施例のロック片１７Ｂ．１７Ｂは、望ましくは浸炭焼入れされた磁性体である。また、この実施例では、ロック片１７Ｂ．１７Ｂが磁性体の極性に対応して吸着（非磁性体又は磁性体の係止棒９Ａに係止）するように構成されている。
【００４９】
以上のように、本発明の実施例如何によっては、一対の内装バネは必須要件ではない。また、第１実施例の内装バネの位置、作用（一対のロック片１７．１７に両端部をそれぞれ取付け、引っ張り方向に作用されること）は、発明の本質に変更しない限り、任意に設計変更することが可能である。
【産業上の利用可能性】
【００５０】
本発明は、主に建具、家具、フェンス、ヘルメット、盗難防止具などの業界で幅広く利用される。
【図面の簡単な説明】
【００５１】
図１乃至図１１は本発明の最良の実施例を示す各説明図。図１２及び図１３は本発明の用途例２を示す各説明図、図１４及び図１５は本発明の用途例３を示す各説明図。図１６乃至図１９は本発明の他の最良の実施例を示す各説明図。
【図１】防犯用の錠止具として使用した一例を示す説明図。
【図２】取付けベース板（ベース体）の係止棒から障害体を分離した正面図。
【図３】ベース体の係止棒の説明図。
【図４】図２の４−４線断面図。
【図５】図２の５−５線断面図。
【図６】障害体の分解斜視図（押圧キーも含む）
【図７】障害体を構成する各板の正面視からの説明図（分解して並べた状態）。
【図８】押圧キーを裏返した斜視図。
【図９】図８の９−９線断面図。
【図１０】障害体を係止棒に係止させる時に概略説明図（ロック時）。
【図１１】押圧キーを障害体に対して押し込み、係合爪片でロックを解除した概略説明図（ロック解除時）。
【図１２】平板体用の連結具として利用した一例を示す説明図。
【図１３】ロック時の概略断面説明図。
【図１４】平板体用の連結具として利用した他例を示す説明図。
【図１５】ロック時の概略断面説明図。
【図１６】本発明の第２実施例の要部（中板とロック片とを分離）の説明図。
【図１７】本発明の第２実施例の要部（中板にロック片を組み込んだ状態）の説明図。
【図１８】本発明の第３実施例の要部（中板にロック片を組み込んだ状態）の説明図。
【図１９】図１８の要部のみを概略断面で示した説明図。
【符号の説明】
【００５２】
Ｘ…錠止具、Ｂ…ベース体（４．５．６．４３．５１）、1…建物、２…開閉戸、３…自由端部、４…縦枠、５…横枠、６…取付けベース板、７…レバーハンドル、８…固着具、９．９Ａ…係止棒、９ｂ…係合頭部、１０…周溝、１１…障害体、１２…底板、１３．１３Ａ．１３Ｂ…中板、１４…上板、１５…環状カバー、１６…内装バネ、１６Ａ．１６Ｂ…磁性体、１７．１７Ａ．１７Ｂ…挟持型ロック片、１８…固定手段、１９…大きな中心孔、２１…底板開口、２２．２２Ａ．２２Ｂ…中板開口、２３…ストッパー部分、２４…バネ収納部分、２５…上板開口、２６…切欠部分、２７…傾斜部分（摺接面）、２９…キー挿入用開口、３１…押圧キー、３２…係合爪片、３３…押圧壁、４１…フェンス、４２…平板体、４２ａ…連結端部、４３…支柱、５１…ヘルメット類、５１…一方の締め付け部分、５２…他方の締め付け部分、４４、５４…貫通孔。
【図１】
2006009521.tif 000003
【図２】
2006009521.tif 000004
【図３】
2006009521.tif 000005
【図４】
2006009521.tif 000006
【図５】
2006009521.tif 000007
【図６】
2006009521.tif 000008
【図７】
2006009521.tif 000009
【図８】
2006009521.tif 000010
【図９】
2006009521.tif 000011
【図１０】
2006009521.tif 000012
【図１１】
2006009521.tif 000013
【図１２】
2006009521.tif 000014
【図１３】
2006009521.tif 000015
【図１４】
2006009521.tif 000016
【図１５】
2006009521.tif 000017
【図１６】
2006009521.tif 000018
【図１７】
2006009521.tif 000019
【図１８】
2006009521.tif 000020
【図１９】
2006009521.tif 000021